(57)【要約】      （修正有）【課題】介護用であることが分かりにくく、要介護者の外出を通じて、要介護者のライフスタイルを改善し、また、人との交流を促進することができる介護用スラックスを提供する。【解決手段】前及び後のセンタープレスライン４、６と、腰ベルトが挿通される複数のベルトループ１０と、ウエスト部の後部分を伸縮可能にするために後部分に配置された平ゴム及びギャザー部１２と、前身頃２０と後身頃２２との間の内側の境界縁又は外側の境界縁２４の少なくともいずれか一方の境界縁に沿って配置された開閉ファスナ３０と、開閉ファスナの裏側に開閉ファスナの長手方向に沿って配置された当て布フラップとを有する。【選択図】図３
0003208020.tif 000002
【実用新案登録請求の範囲】
【請求項１】
前身頃と後身頃に形成されたセンタープレスラインと、
ウエスト部に設けられ、該ウエスト部の周方向に間隔を隔てて配置されて腰ベルトが挿通される複数のベルトループと、
前記ウエスト部の後部分を伸縮可能にするために該後部分に配置された平ゴム及びギャザー部と、
前記前身頃と前記後身頃との間の内側の境界縁又は外側の境界縁の少なくともいずれか一方の境界縁に沿って配置された開閉ファスナと、
該開閉ファスナの裏側に該開閉ファスナの長手方向に沿って配置された当て布フラップとを有し、
前記開閉ファスナが前記外側の境界縁に配置されている場合には、該開閉ファスナが左右両足の裾から前記ウエスト部の下端に接する部分まで延びており、また、前記ウエスト部は、前記開閉ファスナと接する部分で分割されて、該分割された前記ウエスト部が腰脇スナップ釦によって連結可能であり、前記開閉ファスナを開くと共に前記腰脇スナップ釦を開放することにより前身頃と後身頃との外側の境界縁を完全に分離させることが可能であり、
前記開閉ファスナが前記内側の境界縁に配置されている場合には、左右両足の裾の下端から内股部分まで延びており、該開閉ファスナを開くことにより前身頃と後身頃との内側の境界縁を完全に分離させることが可能であることを特徴とする介護用スラックス。
【請求項２】
前記開閉ファスナが前記外側の境界縁だけに配置されている、請求項１に記載の介護用スラックス。
【請求項３】
前記開閉ファスナが前記内側の境界縁だけに配置され、
該内側の境界縁の前記開閉ファスナが、第１のファスナと第２のファスナとで構成され、
前記第１のファスナが右足の裾から内股まで延びており、
前記第２のファスナが左足の裾から内股まで延びており、
前記第１のファスナと、前記第２のファスナとが前記内股の中央部分で互いにオーバーラップして配置されている、請求項１に記載の介護用スラックス。
【請求項４】
前記開閉ファスナが前記外側の境界縁及び前記内側の境界縁に配置され、
該内側の境界縁の前記開閉ファスナが、第１のファスナと第２のファスナとで構成され、
前記第１のファスナが右足の裾から内股まで延びており、
前記第２のファスナが左足の裾から内股まで延びており、
前記第１のファスナと、前記第２のファスナとが前記内股の中央部分で互いにオーバーラップして配置されている、請求項１に記載の介護用スラックス。
【請求項５】
前ファスナを更に有し、
該前ファスナの上の前ボタンがスナップ釦で構成されて、該スナップ釦を開放することにより前記ウエスト部を左右に開放することができる、請求項１〜４のいずれか一項に記載の介護用スラックス。
【請求項６】
前記ウエスト部の前部分に沿って延び且つ前記ウエスト部の後側に位置し且つ長さ調整可能な内側アジャストバンドを更に有し、
該内側アジャストバンドが左右のベルトで構成され、該左右のベルトの前端をバックルを使って連結することができ、該バックルを操作することで左右のベルトの連結を解除することができる、請求項５に記載の介護用スラックス。
【請求項７】
前記開閉ファスナの裏側に当て布フラップが配置され、該当て布フラップが前記開閉ファスナの一端から他端まで延びている、請求項１〜５のいずれか一項に記載の介護用スラックス。
【考案の詳細な説明】
【技術分野】
【０００１】
本考案は、介護用スラックスに関し、より詳しくは、着用者が健常者であるかのような雰囲気を周囲の者に感じさせることのできる介護用スラックスに関する。
【背景技術】
【０００２】
介護を必要とする高齢者や障害者が病院や自宅で着用する介護用着衣の一つとして介護用ズボンが知られている。特許文献１はパジャマを介護用に改変した形態を有し、左右の前身頃の各々に、ウエスト部から裾に亘って延びる左右の開閉ファスナを有する。この左右の開閉ファスナを開放することにより、着用者の下半身の前部を完全に露出させることができる。
【０００３】
特許文献２は、前身頃の上半分を左右に観音開きすることのできる介護用ズボンを提案している。ウエスト部には、左右の脇から背部に亘ってゴム通しが設けられている。この介護用ズボンは、特許文献２に書いてある通り、身体を自由に自力で動かすことが困難な寝たきりの患者を対象にしている。
【０００４】
特許文献３は、起立した状態でおむつ等の取り替えが可能な介護用スラックスを開示している。この介護用スラックスはスエットパンツの形態を有する。スエットパンツの前身頃のウエスト部分から左右の大腿部まで延びる左右のファスナを有し、このファスナをウエスト部分から大腿部まで引き下げることで、着用者の前部を露出させることのできる開口部を形成することができる。
【先行技術文献】
【特許文献】
【０００５】
【特許文献１】特開平１０−１０２３０４号公報
【特許文献２】特開２０１４−１２２４５４号公報
【特許文献３】実用新案登録第３０２２１６１号
【考案の概要】
【考案が解決しようとする課題】
【０００６】
介護用ズボンは、介護者の立場に立脚し、その上で介護し易い様々な形態及び機能が提案されている。このことから、従来の介護用ズボンは、特許文献１〜３からも分かるように、パジャマ又はスエットパンツを介護用に変形させた形態を有するのが一般的である。
【０００７】
高齢期の暮らしを改善することを企図して高齢者の生活の質や地域社会の質に関する検討が加えられている。人や地域社会との交流において、耳が遠くなったとか上手く会話できなくなった等の高齢者各人の持つ自分の状態を他人に隠してしまう、つまり高齢者が抱くプライドが結果的に他人との交流を遠ざけてしまうという調査結果が見られる。
【０００８】
高齢者が持つプライドは、これを尊重すべきであるのは言うまでもない。この観点から介護用ズボンを見直したときに、介護用ズボンを着用したまま外出することは、一見して介護用ズボンであることが直ぐに分かってしまうため、これが原因で外出を避ける傾向になってしまう虞がある。
【０００９】
本考案者は、要介護者が抱くプライドを尊重した介護用ズボンを企図した結果、本考案を案出したものである。本考案の目的は、要介護者の外出を通じて、要介護者のライフスタイルを改善し、また、人との交流を促進することのできる介護用スラックスを提供することにある。
【課題を解決するための手段】
【００１０】
上記の技術的課題は、本考案によれば、
前身頃と後身頃に形成されたセンタープレスラインと、
ウエスト部に設けられ、該ウエスト部の周方向に間隔を隔てて配置されて腰ベルトが挿通される複数のベルトループと、
前記ウエスト部の後部分を伸縮可能にするために該後部分に配置された平ゴム及びギャザー部と、
前記前身頃と前記後身頃との間の内側の境界縁又は外側の境界縁の少なくともいずれか一方の境界縁に沿って配置された開閉ファスナと、
該開閉ファスナの裏側に該開閉ファスナの長手方向に沿って配置された当て布フラップとを有し、
前記開閉ファスナが前記外側の境界縁に配置されている場合には、該開閉ファスナが左右両足の裾から前記ウエスト部の下端に接する部分まで延びており、また、前記ウエスト部は、前記開閉ファスナと接する部分で分割されて、該分割された前記ウエスト部が腰脇スナップ釦によって連結可能であり、前記開閉ファスナを開くと共に前記腰脇スナップ釦を開放することにより前身頃と後身頃との外側の境界縁を完全に分離させることが可能であり、
前記開閉ファスナが前記内側の境界縁に配置されている場合には、左右両足の裾の下端から内股部分まで延びており、該開閉ファスナを開くことにより前身頃と後身頃との内側の境界縁を完全に分離させることが可能であることを特徴とする介護用スラックスを提供することにより達成される。
【００１１】
本考案に従う介護用スラックスは、左右の両足にセンタープレスラインを備えている。センタープレスラインはビジネススーツや礼服では必須である。また、本考案に従う介護用スラックスは、ビジネススーツや礼服と同様に、ウエスト部が設けられ、該ウエスト部に複数のベルトループが設けられている。このベルトループを通過させることで、ビジネススーツや礼服と同様に、腰ベルトを装着できる。このウエスト部の背部分つまり後部分に平ゴム及びギャザーが配置されている。すなわち、平ゴム及びギャザーによって従来の介護用ズボンと同様に、ウエスト部は伸縮可能であるが、ウエスト部に腰ベルトを装着したときには、つまり外出や人前に出るときには、腰ベルトによってギャザーを隠すことができる。
【００１２】
本考案に従う介護用スラックスは、前記前身頃と前記後身頃との間の内側又は外側の境界縁の少なくともいずれか一方の境界縁に沿って配置された開閉ファスナを有する。この開閉ファスナを全開することで、前身頃と後身頃とを分離させることが可能である。例えば開閉ファスナを外側の境界縁に配置した場合、着用者の両脇にそれぞれ開閉ファスナが位置することになる。そして、この左右の開閉ファスナは、上からも下からも開くことができると共に完全に開放することで外側の境界縁で前身頃と後身頃と完全に分離させることが可能である。
【００１３】
例えば開閉ファスナを内側の境界縁に配置した場合、着用者の両足の内側及び内股部分に開閉ファスナが位置することになる。この左右の開閉ファスナは、右足の内側に位置する第１の開閉ファスナと、左足の内側に位置する第２の開閉ファスナとで構成するのがよい。更に、内股中央部分で第１の開閉ファスナと第２の開閉ファスナとがオーバーラップした状態に配置するのがよい。内股部分で第１、第２の開閉ファスナを開放することで、スラックスの内股部分を開放しておしめや下着の交換が可能となる。勿論、第１、第２の開閉ファスナの両方又は一方を裾から開放することで、右足及び／又は左足を露出させることができる。これによりスラックスを着用したまま、例えば足浴を楽しむことができる。
【図面の簡単な説明】
【００１４】
【図１】第１実施例の介護用スラックスの正面図である。
【図２】第１実施例の介護用スラックスの背面図である。
【図３】第１実施例の介護用スラックスの側面図である。
【図４】第１実施例の介護用スラックスの側面図であり、前身頃と後身頃の外側の境界縁に配置した脇開閉ファスナの上端部を開放した状態を示す。
【図５】第１実施例の介護用スラックスの側面図であり、前身頃と後身頃の外側の境界縁に配置した脇開閉ファスナの下端部を開放した状態を示す。
【図６】第１実施例の介護用スラックスの側面図であり、前身頃と後身頃の外側の境界縁に配置した脇開閉ファスナを完全に開放した状態を示す。
【図７】第１実施例の介護用スラックスを着用した者の腰部分の側面図であり、前身頃と後身頃の外側の境界縁に配置した脇開閉ファスナの上端部を開放しても、内側アジャストバンドによってスラックスの脱落を防止している状態を示す。
【図８】第１実施例の介護用スラックスを着用した者の腰部分の正面図であり、前身頃と後身頃の外側の境界縁に配置した脇開閉ファスナの上端部を開放しても、内側アジャストバンドによってスラックスの脱落を防止している状態を示す。
【図９】第１実施例の介護用スラックスの下端部の側面図であり、前身頃と後身頃の外側の境界縁に配置した脇開閉ファスナの下端部を開放した状態を示す。
【図１０】第２実施例の介護用スラックスの正面図である。
【図１１】第２実施例の介護用スラックスの後面図である。
【図１２】第２実施例の介護用スラックスの側面図である。
【図１３】第２実施例の介護用スラックスの正面図であり、前身頃と後身頃の内側の境界縁に配置した脇開閉ファスナの下端部を開放した状態を示す。
【図１４】第２実施例の介護用スラックスの内股部分を説明するための図であり、内股が開放されている状態を示す。
【図１５】第２実施例の介護用スラックスの内股部分で２本のファスナが互いにオーバーラップしていることを説明する部分図であり、（I）は２本のファスナの上端部が共に若干開いている状態を示し、(II)は、２本のファスナの上端部のうち、一方の上端部が若干開いており、他方の上端部が閉じている状態を示す。
【図１６】第２実施例の介護用スラックスの下端部の側面図であり、前身頃と後身頃の内側の境界縁に配置したファスナの下端部を開放した状態を示す。
【考案を実施するための形態】
【実施例】
【００１５】
以下に、添付の図面に基づいて本考案の好ましい実施例を説明する。
【００１６】
第１実施例（図１〜図９）：
図１〜図９は第１実施例のスラックス１００を示す。スラックス１００は紳士用であり、前ファスナ２を有している。図１はスラックス１００の正面図である。図２はスラックス１００の背面図である。スラックス１００は、前センタープレスライン４（図１）、後センタープレスライン６（図２）を有している。また、ウエスト部８には複数のベルトループ１０が設けられている。この複数のベルトループ１０に、図示を省略したが腰ベルトを通すことができる。
【００１７】
図２を参照して、参照符号１２はギャザー部を示す。このギャザー部１２は、ウエスト部８の後半分に形成されている。このギャザー部１２には平ゴムが縫い付けられており、この平ゴム及びギャザー部１２によってウエスト部８は胴回り方向に伸縮可能である。
【００１８】
ベルトループ１０に腰ベルトを通した状態ではギャザー部１２が腰ベルトの下になるためギャザー部１２が腰ベルトの下で隠れた状態になる。
【００１９】
スラックス１００は、後ポケット１４（図２、図３）やサイドポケット１６（図３）を有する。図１〜図３を参照して、これらの図面を見る限り、スラックス１００を着用して腰ベルト（図示せず）を装着したときには、スラックス１００が介護用のスラックスであると思えない。外見はビジネス用や礼服のスラックスと同じである。
【００２０】
図１、図３を参照して、参照符号２０は前身頃を示す。図２、図３を参照して、参照符号２２は後身頃を示す。前身頃２０と後身頃２２は、通常のスラックス(ビジネス用や礼服)では、周知のように、外側の２つの境界縁２４（脇縫い部分）と内側の一つの境界縁２６で互いに縫い合わされる。
【００２１】
第１実施例のスラックス１００は、前身頃２０と後身頃２２の内側の境界縁２６は、通常のスラックスと同様に縫い合わされている。他方、スラックス１００の前身頃２０と後身頃２２の外側の２つの境界縁２４、つまり脇縫い部分には、夫々、脇開閉ファスナ３０が設けられている（図６）。
【００２２】
スラックス１００の左右両足の脇部分に夫々配置された脇開閉ファスナ３０は、ウエスト部８の下端に接する部分から裾３２の下端部まで延びている。ウエスト部８は、この脇開閉ファスナ３０の上端と接する部分で分割されており（図４）、そして、腰脇ボタン３６によってウエスト部８が一体化されている。腰脇ボタン３６としてスナップ釦を採用するのが良い。スナップ釦は、スナップ嵌合により固定でき、一つの操作で嵌合を解除できるため、周知のように、固定及びその解除ともに操作性に優れている。
【００２３】
前身頃２０と後身頃２２は脇開閉ファスナ３０を開放し且つ腰脇ボタン３６を開放することにより、図６に図示の通り、片足毎に外側の境界縁２４で前身頃２０と後身頃２２とを完全に切り離すこともできる。勿論、図５に示すように、裾３２からスラックス１００の下部において前身頃２０と後身頃２２とを切り離して着用者の足を部分的に露出させることができる。また、図７、図８に示すように、スラックス１００の上部において前身頃２０と後身頃２２とを切り離して着用者の腰部分の前部を部分的に露出させることができる。
【００２４】
脇開閉ファスナ３０の裏側には当て布フラップ３４が配置されている（図６）。当て布フラップ３４はスラックス１００と同じ生地であるのが好ましい。当て布フラップ３４は、脇開閉ファスナ３０に沿ってウエスト部８の下端に接する部分から裾３２の下端部まで延びている。すなわち、当て布フラップ３４は、脇開閉ファスナ３０の一端から他端まで延びている。この当て布フラップ３４は脇開閉ファスナ３０の裏側に位置していることから、当て布フラップ３４によって脇開閉ファスナ３０が肌に直接的に触れるのを防止することができる。
【００２５】
図６、図７から最も良く分かるように、第１実施例のスラックス１００は、ウエスト部８の前部分に沿って延びる内側アジャストバンド４０を有する。内側アジャストバンド４０は、ウエスト部８の後側に配置されている。
【００２６】
内側アジャストバンド４０は、左右のベルト４２、４４で構成されている（図８）。左ベルト４２及び右ベルト４４の各後端は後身頃２２のウエスト部８に縫い付けられている。左右のベルト４２、４４の前端をバックル４６を使って連結することができ、また、バックル４６を操作することで左右のベルト４２、４４の連結を解除することができる。左右のベルト４２、４４は長さ調整可能である。
【００２７】
この内側アジャストバンド４０を締めておくことで、介護者が脇開閉ファスナ３０を操作して前身頃２０と後身頃２２の上端部分や全体を開放したとしても(図８)、これに伴ってスラックス１００が脱落してしまうのを防止できる。
【００２８】
スナップ釦は、前ファスナ２の上の前ボタン５０（図１）にも採用するのがよい。前ボタン５０としてスナップ釦を採用することにより、前ファスナ２を開放してウエスト部８を左右に開放するとき及びこれを固定するときに介護者の操作が楽になる。
【００２９】
第２実施例（図１０〜図１６）：
第２実施例のスラックス２００の説明において、上記の第１実施例のスラックス１００と同じ要素には同じ参照符号を付すことにより、その説明を省略し、第２実施例のスラックス２００の特徴部分を中心に説明する。
【００３０】
第２実施例のスラックス２００は、第１実施例のスラックス１００と同様に紳士用であるが、第１実施例とは逆に、外側境界縁２４が縫い合わされている一方で、内側境界縁２６に第１、第２の内側開閉ファスナ２０２、２０４が取り付けられている。
【００３１】
図１４を参照して、第１の内側開閉ファスナ２０２は、右足の裾３２Rから内股部分５２の中央部分５２Cまで延びている。第２の内側開閉ファスナ２０４は、左足の裾３２Lから内股中央部分５２Cまで延びている。そして、好ましくは第１、第２の内側開閉ファスナ２０２、２０４は内股中央部分５２Cにおいてオーバーラップしているのが良い（図１５）。第１、第２の内側開閉ファスナ２０２、２０４を内股中央部分５２Cにおいて互いにオーバーラップさせることによって下着が透けて見えるのを阻止することができる。
【００３２】
第１、第２の内側開閉ファスナ２０２、２０４の裏側には、スラックス２００と好ましくは同じ生地の第１、第２の当て布フラップ５４、５６が配置されている（図１３）。第１、第２の当て布フラップ５４、５６は第１、第２の内側開閉ファスナ２０２、２０４の一端から他端まで延びている。第１、第２の内側開閉ファスナ２０２、２０４の各々の裏側に第１、第２の当て布フラップ５４、５６が配置されていることから、これら第１、第２の当て布フラップ５４、５６によって第１、第２の内側開閉ファスナ２０２、２０４が肌に直接的に触れるのを防止することができる。
【００３３】
第１の内側開閉ファスナ２０２は、右足の裾３２Rから開放することができ（図１６）、また、内股中央部分５２Cから開放することができる（図１４）。更に、第１の内側開閉ファスナ２０２は、右足の裾３２Rから内股中央部分５２Cまで完全に開放することができる。
【００３４】
第２の内側開閉ファスナ２０４は、左足の裾３２Lから開放することができ、また、内股中央部分５２Cから開放することができる。更に、第２の内側開閉ファスナ２０４は、左足の裾３２Lから内股中央部分５２Cまで完全に開放することができる。
【００３５】
第１、第２の内側開閉ファスナ２０２、２０４を共に完全開放することで、第２実施例のスラックス２００は内側境界縁２６に沿って前身頃２０と後身頃２２とを完全に分離させることができる。
【００３６】
以上、共に紳士用である第１、第２実施例のスラックス１００、２００を説明したが、本考案は紳士用に限定されない。女性用であってもよい。すなわち、前ファスナ２は必須ではない。
【００３７】
本考案は介護用スラックスは第１、第２実施例のスラックス１００、２００を合体したスラックスであってもよい。すなわち、第１実施例のスラックス１００の内側境界縁２６に第１、第２の内側開閉ファスナ２０２、２０４を取り付けてもよい。
【符号の説明】
【００３８】
１００    第１実施例のスラックス
２        前ファスナ
４        前センタープレスライン
６        後センタープレスライン
８        ウエスト部
１０      ベルトループ
１２      ギャザー部
２０      前身頃
２２      後身頃
２４      外側境界縁
２６      内側境界縁
３０      脇開閉ファスナ
３２      裾
３４      当て布フラップ
３６    腰脇ボタン（スナップ釦）
４０    ウエスト部の前部分に沿って延びる内側アジャストバンド
４２    左ベルト
４４    右ベルト
５０    前ボタン（スナップ釦）
５２    内股部分
５２C    内股中央部分
２００  第２実施例のスラックス
２０２  第１内側開閉ファスナ
２０４  第２内側開閉ファスナ
【図１】
0003208020.tif 000003
【図２】
0003208020.tif 000004
【図３】
0003208020.tif 000005
【図４】
0003208020.tif 000006
【図５】
0003208020.tif 000007
【図６】
0003208020.tif 000008
【図７】
0003208020.tif 000009
【図８】
0003208020.tif 000010
【図９】
0003208020.tif 000011
【図１０】
0003208020.tif 000012
【図１１】
0003208020.tif 000013
【図１２】
0003208020.tif 000014
【図１３】
0003208020.tif 000015
【図１４】
0003208020.tif 000016
【図１５】
0003208020.tif 000017
【図１６】
0003208020.tif 000018